(57)【要約】【課題】円筒ころが傾いて外輪の軌道面若しくは鍔の端面に接触する前に、その円筒ころの傾きを抑制する。【解決手段】内輪１及び外輪２と、内輪１と外輪２との間に配置される複数の円筒ころ３と、円筒ころ３を保持するポケット１２が設けられた保持器１０とを備え、保持器１０は、対の環状部１１、１１間を結ぶ柱部１３を複数備え、周方向に隣り合う柱部１３、１３間をポケット１２とし、柱部１３にポケット１２側に向くころ落ち止め部１４を備えてポケット１２を挟んで対向するころ落ち止め部１４、１４間の距離を円筒ころ３のころ直径１０ｄ未満とし、内輪１を組み込む前の状態で、ころ落ち止め部１４に円筒ころ３が接触した状態において、円筒ころ３のころ軸心３ａを保持器１０の軸心１０ａに対して傾けた際に、円筒ころ３は、外輪２に接触するよりも先にポケット１２の隅部１６に接触する円筒ころ軸受とした。【選択図】図３
2020045988.tif 000002
【特許請求の範囲】
【請求項１】
内輪（１）及び外輪（２）と、
前記内輪（１）と前記外輪（２）との間に配置される複数の円筒ころ（３）と、
前記円筒ころ（３）を保持するポケット（１２）が設けられた保持器（１０）とを備え、
前記保持器（１０）は、
対の環状部（１１、１１）間を結ぶ柱部（１３）を複数備え、
周方向に隣り合う前記柱部（１３、１３）間を前記ポケット（１２）とし、
前記柱部（１３）に前記ポケット（１２）側に向くころ落ち止め部（１４）を備えて前記ポケット（１２）を挟んで対向する前記ころ落ち止め部（１４、１４）間の距離（ｗ）を前記円筒ころ（３）のころ直径（ｄ）未満とし、
前記内輪（１）を組み込む前の状態で、前記ころ落ち止め部（１４）に前記円筒ころ（３）が接触した状態において、前記円筒ころ（３）のころ軸心（３ａ）を前記保持器（１０）の軸心（１０ａ）に対して傾けた際に、前記円筒ころ（３）は、前記外輪（２）に接触するよりも先に前記ポケット（１２）の隅部（１６）に接触する円筒ころ軸受。
【請求項２】
前記外輪（２）は少なくとも軸方向一方の端部に鍔部（２ｂ）を備え、
前記円筒ころ（３）の端面（３ｃ）は前記鍔部（２ｂ）の端面（２ｃ）に対向している請求項１に記載の円筒ころ軸受。
【請求項３】
前記柱部（１３）は、前記環状部（１１）から内径方向へ伸びて前記ころ落ち止め部（１４）に至る傾斜部（１５）を備え、
前記隅部（１６）は、前記環状部（１１）と前記傾斜部（１５）との間に跨って設けられる請求項１又は２に記載の円筒ころ軸受。
【請求項４】
前記隅部（１６）は、前記柱部（１３）の縁と前記環状部（１１）の縁とを結ぶ円弧形状である請求項１から３のいずれか一つに記載の円筒ころ軸受。
【請求項５】
前記隅部（１６）は、周方向に隣り合う前記柱部（１３）間の距離が前記環状部（１１）へ近づくにつれて徐々に狭まるテーパ形状である請求項１から３のいずれか一つに記載の円筒ころ軸受。
【請求項６】
前記内輪（１）を組み込んだ後の状態において、前記円筒ころ（３）は前記隅部（１６）に接触しない請求項１から５のいずれか一つに記載の円筒ころ軸受。
【請求項７】
請求項１から６のいずれか一つに記載の円筒ころ軸受に用いられる保持器（１０）であって、
対の環状部（１１、１１）間を結ぶ柱部（１３）を複数備え、周方向に隣り合う前記柱部（１３、１３）間をポケット（１２）とし、前記柱部（１３）に前記ポケット（１２）側に向くころ落ち止め部（１４）を備えて前記ポケット（１２）を挟んで対向する前記ころ落ち止め部（１４、１４）間の距離（ｗ）を前記円筒ころ（３）のころ直径（ｄ）未満とし、
前記ポケット（１２）の隅部（１６）は、前記内輪（１）を組み込む前の状態で、前記ころ落ち止め部（１４）に前記円筒ころ（３）が接触した状態において、前記円筒ころ（３）のころ軸心（３ａ）を前記保持器（１０）の軸心（１０ａ）に対して傾けた際に、前記円筒ころ（３）が前記外輪（２）に接触するよりも先に接触する円筒ころ軸受用保持器。
【発明の詳細な説明】
【技術分野】
【０００１】
この発明は、円筒ころ軸受、及び、円筒ころ軸受用保持器に関するものである。
【背景技術】
【０００２】
一般に、円筒ころ軸受に用いられる保持器は、内外の軌道輪間に配置され、円筒ころを収容する複数のポケットを周方向に沿って等間隔に備え、そのポケットの軸方向両側にそれぞれ環状部が設けられ、環状部同士を結ぶ柱部によって、周方向へ隣り合うポケット間を仕切るものが一般的である。
【０００３】
例えば、特許文献１、２に記載の円筒ころ軸受用保持器は、外輪の軸方向両端に内径方向へ突出する鍔部を備え、両側の環状部が鍔部の内径によって案内される外輪案内と呼ばれるタイプのものである。
【０００４】
柱部は、軸方向両側において、環状部への接続部から内径方向へ傾斜して、円筒ころのピッチ円を越える位置まで延びる傾斜部と、傾斜部同士を軸方向に結ぶころ落ち止め部を備えている。周方向に隣り合うころ落ち止め部間の最小距離は、円筒ころの直径よりも小さく設定されている。また、ポケットの隅部においては、傾斜部の側壁に円筒ころの周面（転動面）を案内するＲ形状のころ案内部を備え、ころ案内部の設定によって、ポケットに生じる応力を低減させている。
【０００５】
また、特許文献３には、円筒ころとして、特に、ころ直径に対するころ長さの比が大きく、且つ、ころ直径が所定値よりも小さい針状ころを用いた針状ころ軸受（ニードル軸受）に使用される保持器が記載されている。
【０００６】
なお、円筒ころ軸受の組立過程では、例えば、特許文献４に示すように、外輪の内径側に保持器及び円筒ころを組み込んだ組立体をハウジングで支持し、軸の外周に圧入等によって取付けられた内輪を組立体の内側に挿入して、内輪の組込みを行っている。
【先行技術文献】
【特許文献】
【０００７】
【特許文献１】実開平６−８７７２３号公報
【特許文献２】実用新案登録第２６０７６０９号公報
【特許文献３】特開２０１１−２３１８３１号公報
【特許文献４】特開平０８−１２８４５２号公報
【発明の概要】
【発明が解決しようとする課題】
【０００８】
ところで、保持器の形式がころ落ち量の大きなものである場合、すなわち、内輪の組込み前の状態で、円筒ころが正規位置よりも大きく内径側へ落ちた状態となる形式である場合、円筒ころの端面に内輪が干渉して、内輪の組込みが行いにくい場合がある。この点、特許文献１、２のように、保持器の柱部にころ落ち止め部を備えていれば、ころ落ち量を抑制することができる。
【０００９】
しかし、保持器の柱部にころ落ち止め部を備えていても、内輪の組込みの際に内輪が円筒ころに触れて、円筒ころが外輪の軌道面や鍔の端面に干渉するまで傾くことがある。円筒ころが外輪に干渉するまで傾くと、内輪の挿入性が低下するので好ましくない。
【００１０】
このような円筒ころの傾斜が発生する理由として、保持器のころ落ち止め幅、すなわち、ポケット内面のうち円筒ころの両端軌道面に当接する部位である両端軌道当接部間の距離幅が小さいこと、且つ、その両端軌道当接部がピッチ円近くに位置していることが挙げられる。両端軌道当接部間の距離幅が小さく、且つ、両端軌道当接部がピッチ円近くに位置していると、円筒ころが内輪によって軸方向へ押された際に、円筒ころは、両端軌道当接部を支点として傾きやすいと考えられる。
【００１１】
なお、特許文献３では、針状ころはころ直径に対するころ長さの比が大きいため、保持器におけるころ落ち止め幅は充分に長く確保されており、円筒ころが大きな角度で傾斜する現象は生じにくい。すなわち、円筒ころの傾斜の問題は、針状ころ以外の円筒ころに生じやすい現象であるといえる。
【００１２】
そこで、この発明の課題は、円筒ころが傾いて、外輪の軌道面若しくは鍔の端面に接触する前に、その円筒ころの傾きを抑制することである。
【課題を解決するための手段】
【００１３】
上記の課題を解決するために、この発明は、内輪及び外輪と、前記内輪と前記外輪との間に配置される複数の円筒ころと、前記円筒ころを保持するポケットが設けられた保持器とを備え、前記保持器は、対の環状部間を結ぶ柱部を複数備え、周方向に隣り合う前記柱部間を前記ポケットとし、前記柱部に前記ポケット側に向くころ落ち止め部を備えて前記ポケットを挟んで対向する前記ころ落ち止め部間の距離を前記円筒ころのころ直径未満とし、前記内輪を組み込む前の状態で、前記ころ落ち止め部に前記円筒ころが接触した状態において、前記円筒ころのころ軸心を前記保持器の軸心に対して傾けた際に、前記円筒ころは、前記外輪に接触するよりも先に前記ポケットの隅部に接触する円筒ころ軸受を採用した。
【００１４】
ここで、前記外輪は少なくとも軸方向一方の端部に鍔部を備え、前記円筒ころの端面は前記鍔部の端面に対向している構成を採用することができる。
【００１５】
これらの各態様において、前記柱部は、前記環状部から内径方向へ伸びて前記ころ落ち止め部に至る傾斜部を備え、前記隅部は、前記環状部と前記傾斜部との間に跨って設けられる構成を採用することができる。
【００１６】
また、前記隅部は、前記柱部の縁と前記環状部の縁とを結ぶ円弧形状である構成を採用することができる。
【００１７】
さらに、前記隅部は、周方向に隣り合う前記柱部間の距離が前記環状部へ近づくにつれて徐々に狭まるテーパ形状である構成を採用することができる。
【００１８】
これらの各態様において、前記内輪を組み込んだ後の状態において、前記円筒ころは前記隅部に接触しない構成を採用することができる。
【００１９】
これらの各態様からなる円筒ころ軸受に用いられる保持器であって、対の環状部間を結ぶ柱部を複数備え、周方向に隣り合う前記柱部間をポケットとし、前記柱部に前記ポケット側に向くころ落ち止め部を備えて前記ポケットを挟んで対向する前記ころ落ち止め部間の距離を前記円筒ころのころ直径未満とし、前記ポケットの隅部は、前記内輪を組み込む前の状態で、前記ころ落ち止め部に前記円筒ころが接触した状態において、前記円筒ころのころ軸心を前記保持器の軸心に対して傾けた際に、前記円筒ころが前記外輪に接触するよりも先に接触する円筒ころ軸受用保持器を採用することができる。
【発明の効果】
【００２０】
この発明は、保持器の柱部にころ落ち止め部を備え、内輪を組み込む前の状態でころ落ち止め部に円筒ころが接触した状態において、円筒ころのころ軸心を保持器の軸心に対して傾けた際に、円筒ころが外輪に接触するよりも先にポケットの隅部に接触するようにしたので、円筒ころの傾きを抑制することができる。これにより、円筒ころが傾いて外輪に接触することで、内輪の組み込みができない事態を解消できる。
【図面の簡単な説明】
【００２１】
【図１】この発明の円筒ころ軸受に用いられる保持器の斜視図
【図２】（ａ）は図１の保持器の要部拡大平面図、（ｂ）はポケット部に配置する円筒ころとの位置関係を示す保持器の要部拡大正面図
【図３】（ａ）は図１の保持器の要部拡大平面図、（ｂ）は（ａ）のＢ−Ｂ断面図
【図４】（ａ）は外輪の内径側に保持器及び円筒ころを組み込んだ組立体の内側に、内輪を組込む際の説明図、（ｂ）は内輪を組み込んだ後の円筒ころ軸受の要部拡大断面図
【図５】従来例を示し、（ａ）は保持器の要部拡大平面図、（ｂ）はポケット部に配置する円筒ころとの位置関係を示す保持器の要部拡大正面図
【発明を実施するための形態】
【００２２】
この発明の実施形態を図面に基づいて説明する。この実施形態の円筒ころ軸受２０は、内輪１及び外輪２と、その内輪１の軌道面１ａと外輪２の軌道面２ａとの間に配置される複数の円筒ころ３と、その円筒ころ３を収容するポケット１２が設けられた保持器１０を備えたものである。この実施形態では、保持器１０として、図１〜図３に示すものが用いられる。
【００２３】
外輪２は軸方向両方の端部に鍔部２ｂを備えている。円筒ころ３の端面３ｃは、鍔部２ｂの端面２ｃに対向している。なお、この実施形態では、鍔部２ｂは、外輪２の軸方向両端に設けられているが、鍔部２ｂは、外輪２の軸方向一方の端部にのみ設ける場合もあるし、鍔部２ｂの設置を省略する場合もある。
【００２４】
保持器１０は、対の環状部１１、１１間を結ぶ柱部１３を複数備え、周方向に隣り合う柱部１３、１３間をポケット１２としている。すなわち、周方向に隣接する柱部１３，１３間の空間が、保持器１０を内径側から外径側へと貫通するポケット１２となっている。ポケット１２は、周方向に沿って円筒ころ３の数と同数設けられる。また、ポケット１２は、周方向に沿って等間隔に設けられる。
【００２５】
柱部１３には、ポケット１２側に向くころ落ち止め部１４を備え、ポケット１２を挟んで対向するころ落ち止め部１４、１４間の距離ｗを、円筒ころ３の直径ｄ未満としている（図２（ｂ）参照）。ころ落ち止め部１４は各柱部１３の軸方向中央に、すなわち、各柱部１３の環状部１１への取付部間の中央に設けられている。
【００２６】
この円筒ころ軸受２０を組み立てる際には、例えば、図４に示すように、外輪２の内径側に保持器１０及び円筒ころ３を組み込んだ組立体をハウジング５で支持し、軸６の外周に圧入等によって取付けられた内輪１を組立体の内側に挿入する。これにより、組立体に対して内輪１の組込みを行っている。このとき、保持器１０の環状部１１は、外輪２の鍔部２ｂの内径２ｄに圧入されている。また、保持器１０は、ころ落ち止め部１４によって円筒ころ３が脱落しないように保持している。
【００２７】
図３（ｂ）は、円筒ころ３が傾いた状態を示している。内輪１を組立体の内側に挿入する際に、内輪１が円筒ころ３を軸方向に押圧することで円筒ころ３がころ落ち止め部１４を支点に回るため、このような状態が生じやすい。従来の保持器１０では、円筒ころ３の傾きが増大し、円筒ころ３が外輪２の軌道面２ａや鍔２ｂの端面２ｃに干渉するまで傾くと、内輪１の挿入が困難になる場合があった。図５は、従来の保持器１０を示している。
【００２８】
これに対し、この発明では、図２及び図３に示すように、内輪１を組み込む前の状態で、ころ落ち止め部１４に円筒ころ３が接触した状態において、円筒ころ３のころ軸心３ａを保持器１０の軸心１０ａに対して傾けた際に、円筒ころ３は、外輪２の軌道面２ａや鍔部２ｂの端面２ｃに接触するよりも先に、ポケット１２の隅部１６に接触するように設定されている。このため、円筒ころ３の傾きは隅部１６への当接によって規制され、内輪１の挿入が困難になるような事態を回避することができる。
【００２９】
隅部１６は、ポケット１２の内縁における柱部１３の縁と環状部１１の縁とを結ぶように形成され、その形状は、図５に示す従来例と比較して、より内側に張り出したものとなっている。図２（ａ）中の破線は、比較の対象として図５に示す従来例のポケット１２の縁の位置を示しており、それに対してこの実施形態の隅部１６は、従来例よりも半径の大きな円弧で構成されている。従来例では、円筒ころ３は、ポケット１２の隅に接触せずに外輪２の軌道面２ａや鍔部２ｂの端面２ｃに当たるまで傾いていたが、この実施形態の保持器１０では、隅部１６に円筒ころ３の転動面３ｂが当たるので、円筒ころ３のそれ以上の傾きを規制できる。
【００３０】
ここで、図２及び図３で示す隅部１６は、柱部１３の縁と環状部１１の縁とを結ぶ円弧形状としているが、この隅部１６を、周方向に隣り合う柱部１３間の距離が環状部１１へ近づくにつれて徐々に狭まるテーパ形状としてもよい。
【００３１】
また、この実施形態では、柱部１３は、図２（ａ）（ｂ）に示すように、環状部１１から内径方向へ伸びてころ落ち止め部１４に至る傾斜部１５を備えている。隅部１６は、環状部１１と傾斜部１５との間に跨って設けられている。このため、円筒ころ３の転動面３ｂに対して、隅部１６は、円筒ころ３の軸心３ａの方向及び円筒ころ３の周方向に対して交差する斜め方向に接触する。これにより、円筒ころ３が傾くことを、より効果的に抑制することができる。
【００３２】
図３（ａ）に示す符号Ａが隅部１６の範囲であり、符号Ｂが隅部１６を除く傾斜部１５の範囲、符号Ｃがころ落ち止め部１４の範囲である。
【００３３】
また、円筒ころ３の円滑な回転を確保するため、内輪１を組立体の内側に挿入して組み込んだ後は、円筒ころ３は隅部１６に接触しないように、円筒ころ３の形状、及び、ポケット１２の形状が設定されていることが望ましい。
【００３４】
上記の実施形態は、針状ころではない円筒ころ３を用いた円筒ころ軸受２０について、この発明の構成を説明したが、ころに傾きが生じる危惧は相対的に少ないものの、針状ころを用いた円筒ころ軸受（針状ころ軸受）２０においても、この発明を適用することは可能である。
【符号の説明】
【００３５】
１  内輪
２  外輪
２ｂ  鍔部
２ｃ  端面
３  円筒ころ
３ａ  ころ軸心
３ｃ  端面
１０  保持器
１０ａ  軸心
１１  環状部
１２  ポケット
１３  柱部
１４  ころ落ち止め部
１５  傾斜部
１６  隅部
ｄ  直径
ｗ  距離
【図１】
2020045988.tif 000003
【図２】
2020045988.tif 000004
【図３】
2020045988.tif 000005
【図４】
2020045988.tif 000006
【図５】
2020045988.tif 000007